【事件の表示】
　特願２０１２−５１９０９０「生理学的パラメータの視覚化」拒絶査定不服審判事件〔平成２３年　１月１３日国際公開、ＷＯ２０１１／００４２８８、平成２４年１２月１３日国内公表、特表２０１２−５３１９９６〕について、次のとおり審決する。
【結　論】
　本件審判の請求は、成り立たない。
【理　由】
第１　手続の経緯
　本願は、２０１０年（平成２２年）６月２９日（パリ条約による優先権主張外国庁受理２００９年７月６日、欧州特許庁）を国際出願日とする出願であって、
平成２４年３月６日付けで手続補正がなされ、平成２６年１月３１日付けで拒絶理由が通知され、同年５月９日付けで意見書が提出されたが、同年１０月３１日付けで拒絶査定がなされ、これに対して、平成２７年３月３日に拒絶査定不服審判の請求がなされ、それと同時に手続補正がなされたものである。
第２　本願発明
　平成２７年３月３日付けの手続補正により、特許請求の範囲は、明りょうでない記載の釈明及び請求項の削除を目的として補正され、その請求項１ないし１１に係る発明は、平成２７年３月３日付けの手続補正書の特許請求の範囲に記載された事項により特定されるとおりのものであると認められるところ、請求項１に係る発明（以下「本願発明」という。）は、以下のとおりである。
「　画像取得装置、処置装置、処理装置、及び表示装置を有する、対象物に関する情報を供する医療イメージング装置であって、
　前記画像取得装置は、対象物の関心領域のうちの少なくとも1つから対象物データを検出し、かつ、前記対象物データを、前記処理装置へ供し、
　前記処置装置は、前記対象物に対する前記処置装置の所定領域の位置に依存する前記対象物の生理学的パラメータを検出し、かつ、前記生理学的パラメータを、前記処理装置へ供し、
　前記処理装置は、前記対象物データの少なくとも一部を画像データに変換し、かつ、前記生理学パラメータを生理学データに変換し、
　前記処理装置は、前記生理学データに依存する前記画像データの画像パラメータの少なくとも1つを修正することで、前記画像データを、修正された生体画像データに変換し、
　前記処理装置は、前記修正された生体画像データを前記表示装置に供し、
　前記表示装置は、前記修正された生体画像を表示する、
　装置。」
　ここで、「処理装置」に関して、「前記対象物データの少なくとも一部を画像データに変換し、かつ、前記生理学パラメータを生理学データに変換し、」とあるが、これ以前に「生理学パラメータ」の記載はないこと、及び、「処置装置」が「生理学的パラメータを、前記処理装置へ供」することが特定されていることから、「前記生理学パラメータ」は「前記生理学的パラメータ」の誤記と認める。
第３　引用例
　
１　原査定の拒絶の理由に引用され、本願の優先日前に頒布された刊行物である特開２００４−１６０２１２号公報（以下「引用例１」という。）には、次の事項が記載されている（下線は当審において付加したものである。）。
　
（１）「【０００１】
　本発明は一般に心臓の形状的および電気的なマッピング処理のための侵襲性の方法に関連しており、特に、心臓における融除または焼灼処理により形成される種々の外傷部位のリアル−タイム・モニターおよびマッピングのための方法に関連している。」
（２）「【００２１】
　本発明の好ましい実施形態において、一定のリアル−タイム式の心臓融除マッピング・システムは一定のカテーテルおよび一定の表示モニターを備えている。このカテーテルは好ましくは一定の位置センサー、先端電極、および１個以上の温度センサーを備えており、これらの全ては好ましくは当該カテーテルの先端部分またはその近くに固定されている。上記位置センサーは一定の被験者の心臓の室部の中における上記カテーテルの位置および配向を決定するために用いられる種々の信号を発生または受信する。また、上記先端電極は好ましくは心臓組織を融除するための電気的信号を心臓に供給するように構成されていて、心臓のマッピング処理を容易にする等のような診断目的のために構成されていることも好ましい。一定の心臓の融除処置中に、上記カテーテルは心臓の室部の中に挿入されて、複数の心臓の周期中において、位置情報および上記温度センサーにより発生される電力情報および温度情報を含む融除処理中に上記先端電極により供給される一定の電力供給量に関する情報を得るために用いられる。さらに、これらの位置情報および電力供給量の情報を用いて、一定の３次元的な、好ましくは色コード化された融除外傷領域の再構成情報が上記モニター上においてリアル・タイムで発生および表示される。
【００２２】
　好都合にも、本発明の実施形態は上記システムの使用者が一定の処置中にリアル−タイムで、心臓の室部のどの表面領域が融除されているか、およびどの領域がその融除電極の適用または再適用を必要としているかを視覚的に決定することを可能にしている。この結果として、過剰の心臓組織の不要な融除を伴わずに、比較的に完全な非導電性の外傷部位が一般的に形成される。
【００２３】
　本発明の一部の好ましい実施形態において、心臓の室部における一定の形状的および電気的なマップが上記融除処置の開始前に得られる。この融除処置中において、その融除の外傷領域の再構成情報が（例えば、温度データに応じて）リアル−タイムで予め得られている心臓のマップ上に重ね合わされる。
【００２４】
　好ましくは、上記先端電極は一定の単極型電極を含む。この場合に、上記マッピング・システムは好ましくはさらに当該マッピング・システムにより形成される電気回路を完成するために一定のバック−パッド電極またはその他の大形の電極を含む。このバック−パッド電極は好ましくは上記の処置中に心臓の近くにおける被験者の背中の皮膚に接触するように位置決めされる。上記融除エネルギーの供給量は好ましくは上記先端電極とバック−パッド電極との間におけるインピーダンスの測定値にさらに応じて計算される。あるいは、上記先端電極は一定の二極式または多極式の電極を含み、この場合に、この電極の各極の間のインピーダンスの測定値が用いられることが好ましい。」
（３）「【００２８】
　上記融除電力発生装置は好ましくは融除を行なうために上記先端電極により使用される電力を発生する。上記融除電力発生装置は以下の（ａ）上記温度センサーの温度、（ｂ）心臓室部の組織に供給される電力、および（ｃ）インピーダンスの測定値の１個以上を付加的に測定する。この融除電力発生装置は上記エネルギー供給情報を上記位置決めシステム制御装置および／または上記ＥＣＧモニターに送信する。
【００２９】
　本発明の好ましい実施形態によれば、一定の融除処置中に一定の被験者の心臓内における組織を融除するための方法が提供されており、この方法は
　融除のために指定されている複数の部位において上記心臓に局所的な治療を施す処理、
　上記部位に一定量の融除を示す一定のパラメーターを各部位において感知する処理、
　上記心臓の一定のマップを表示する処理、および
　それぞれの感知したパラメーターに応じて上記各部位における融除のそれぞれの量の指示値を上記マップ上に指定する処理を含む。」
（４）「【００３８】
　一部の好ましい実施形態において、上記パラメーターを感知する処理は上記部位の温度を感知する処理を含む。また、一部の用途において、上記パラメーターを感知する処理は上記部位において感知される一定の最高温度を決定する処理を含む。あるいは、または、さらに、上記パラメーターを感知する処理は上記部位における一定の最高温度の時間勾配を決定する処理を含む。」
（５）「【００５５】
　図１は本発明の好ましい実施形態による一定の
被験者２５の心臓２４の中の心臓融除治療におけるリアル−タイム・マッピング処理のためのマッピング・システム１０
カテーテル３０
を備えている
【００５６】
　図２は心臓２４の中に挿入されているカテーテル３０の先端側部分を示している概略的な絵画図である。
カテーテル３０は
少なくとも１個の位置センサー４０、先端電極４８、および１個以上の温度センサー４９を備えており
カテーテルの先端部分４４
に固定されている。
（６）「【００５８】
　再び図１を参照して、本発明の好ましい実施形態において、
マッピング・システム１０は
表示モニター５２および
コンソール２０を備えており
コンソール２０は
位置システム制御装置３６、融除電力発生装置３８、ジャンクション・ボックス３２、
ＥＣＧ
モニター・システム３４、および
コンピュータ５０を含み、
コンピュータ５０は
信号処理回路を有している
コンピュータ５０は
種々の機能を実行するためのソフトウェアおよび
ハードウェアにおいてプログラム化されている
【００５９】
　ジャンクション・ボックス３２は好ましくは（ａ）種々のワイヤおよび温度センサー信号をカテーテル３０から融除電力発生装置３８に伝達し、（ｂ）カテーテル３０のセンサー４０から位置センサー情報を位置決めシステム制御装置３６に伝達し、さらに（ｃ）先端電極４８により発生された診断電極信号をＥＣＧモニター３４に伝達する経路を構成する。あるいは、または、さらに、このジャンクション・ボックス３２は上記信号の１個以上をコンピュータ５０に直接的に伝達する経路を構成する。ＥＣＧモニター３４は好ましくは一定のＥＣＧ同期化信号をコンピュータ５０に供給ために１個以上の身体表面電極から信号を受信するように連結されている。
【００６０】
　一定の位置決めシステム１１は好ましくは一組の外部放射体２８、カテーテル３０の位置センサー４０および任意の付加的な位置センサー、および位置決めシステム制御装置３６を備えている。外部放射体２８は好ましくは被験者２５の外部におけるそれぞれの位置において配置されて位置センサー４０に向けて種々の電磁場等のような場を発生することに適合しており、この位置センサー４０はこれらの場を検出してこれらの場に応じて位置決めシステム制御装置３６によるその位置座標の計算を容易にすることに適合している。あるいは、位置センサー４０が種々の場を発生して、これらの場がそれぞれの外部放射体２８により検出される。一部の用途において、一般的に被験者の身体の外部に取り付けられている外部から供給される基準パッチの上、あるいは一定の内部に配置されているカテーテル上のいずれかにおける一定の基準位置センサーが心臓２４に対して概ね固定された位置に維持される。カテーテル３０の位置をこの基準カテーテルの位置に対して比較することにより、このカテーテル３０の座標が被験者の動きに無関係にその心臓に対して正確に決定される。あるいは、任意の別の適当な方法を上記の動きを補正するために用いることができる。
【００６１】
　上記
位置決めシステム制御装置３６は位置センサー４０からの信号
を受信し、センサー４０およびカテーテル３０の位置を計算し、さらにこれらの位置情報および当該位置情報に関連しているエネルギー供給量の情報
融除電力発生装置３８から受信される
をコンピュータ５０に伝達する
【００６２】
　上記
融除電力発生装置３８は
融除を行なうために先端電極４８により用いられる電力を発生する
【００６３】
　加えて、上記
融除電力発生装置３８は
（ａ）温度センサー４９の温度、（ｂ）先端電極４８により心臓の室部の組織に供給される電力、および（ｃ）
インピーダンス
「エネルギー供給量情報
の内の１個以上を測定する
位置システム制御装置４６
および／またはＥＣＧモニター３４に送信する
（７）「【００６５】
　本発明の好ましい実施形態において、一定の
心臓融除処置の前に、カテーテル３０が心臓の一定の室部内に挿入されて、その心臓の室部の表面に関する形状的および電気的な情報を取得および記録するために用いられる。
【００６６】
　あるいは、前の心臓処置中に形成された一定の心臓マップが用いられる。さらに、代替的に、一定の心臓マップは一定の画像処理様式（例えば、Ｘ線透視法、ＭＲＩ、心エコー検査、ＣＴ、シングル−フォトン・コンピュータ連動断層撮影（ＳＰＥＣＴ）、またはポジトロン・エミッション連動断層撮影（ＰＥＴ））等のような別の供給源により得ることができ、上記カテーテルの位置がこのマップ上に可視化される。この場合に、上記コンピュータ５０はこのマップ上における融除外傷部位の位置を標識する。あるいは、一部の用途において、一定の心臓マップが得られず、この場合に、融除外傷部位の一定のマップのみが以下において説明されているように形成される。」
（８）「【００６７】
　図３は本発明の好ましい実施形態による一定の心臓の室部内に形成した外傷部位をマッピングするための方法を概略的に示しているフロー・チャートである。上述したように、
心臓室部の一定の形状的および電気的なマッピングを形成した後に、使用者２２は融除処理を行なう心臓室部の表面領域にカテーテル３０を進行させる。融除エネルギーをこの心臓の表面に対して供給する際に、融除電力発生装置３８が、
継続的に
エネルギー供給量を測定する。
コンピュータ５０は
カテーテル３０の先端部分４４の位置に対する位置情報および
エネルギー供給量情報を受信する
３次元の融除マッピング点を計算するための位置情報を使用する
一連の測定値に対して
先端部分４４の位置を付随させる。
【００６８】
　次に、室部再構成工程において、上記コンピュータ５０は上記工程７０の各反復処理において発生される
融除マッピング点を接続している一定の３次元的な表面を形成する
心臓表面のマップが融除処理を開始する前に得られ
上記の融除マッピング点がこの既存のマップに加えられる
融除外傷部位の表面積は、
三角形に、区分される
三角形のセグメント
【００６９】
　次に、上記
コンピュータ５０は、
各セグメント内における融除マッピング点のエネルギー供給量情報に応じて各セグメントに対応する表示値を発生する。
使用者２２は各セグメントに対応する表示値を発生するために使用者に対するコンピュータの幾つかの機能の内の少なくとも１個を選択する。このような機能の例は
・エネルギー供給量値：一定のセグメントに対応するエネルギー供給量値は、各測定されたエネルギー供給量ｉにわたる、（そのセグメントにおける測定されたエネルギー供給量ｉ）×（供給量ｉの測定値と供給量ｉ−１の測定値との間の時間的間隔）／（そのセグメントの面積）の合計として計算される。（この面積は一般的に各セグメントがボクセルである場合に一定である。）任意の時間において、各セグメントの表示値は以下の式により表現される一定のセグメント内に配給される合計のエネルギーを示す。
【数１】
　Ｅ|segment＝∫Ｐ|segmentdt
　この場合に、Ｅはジュール単位におけるエネルギー値を示しており、Ｐはワット単位における電力値を示しており、ｔは秒単位における時間を示している。一定の２ｍｍ×２ｍｍ×２ｍｍのボクセル・セグメントに対応するエネルギー供給量値は一般的に０乃至５，０００ジュールである。
・
最高温度
・最高温度の時間勾配：各融除マッピング点における温度勾配はその融除マッピング点に対応する時間データにわたる温度に関して行なわれる一定の線形の回帰における傾斜に等しい。この表示値は一定のセグメント内における最高の値に等しい。好ましくは、この表示値は経験的なデータに基づいて用いられる温度および電力の各値に対応して予測される温度勾配によりこの値を割ることにより標準化される。この温度勾配の値は一般的に１秒当たりに０乃至２０度である。
・平均のインピーダンス：この表示値は一定のセグメントにおける各融除マッピング点の平均のインピーダンスに等しい。このインピーダンス値は一般に末端電極４８と融除中の組織との間の接触の質の良好な指示手段である。平均のインピーダンス値は一般的に５０乃至５００オームである。
・組み合わせの値：この表示値はエネルギー供給量情報および／または、例えば、エネルギー×インピーダンスまたはエネルギー×最高温度等のような上記の種々の機能の一定の組み合わせとして計算される。」
（９）「【００７３】
　
さらに、
コンピュータ５０は、
一定の色尺度により各セグメントの適当と思われる表示値
を色に変換する。
コンピュータ５０は、
各セグメントの表示値
に基づいて色づけした各セグメントに対する融除外傷部位の３次元的な再構成情報を表示する。
心臓マップが融除処理を開始する前に得られる場合には、
カラー−コード化した各セグメントが
予め得られているマップ上に重ね合わされて、表示モニター５２に一緒に表示される。
【００７４】
　その後、コンピュータ５０は、完了検査工程８４において、融除処置が行なわれているか否かを調べる。この融除処置が行なわれていない場合には、図３の各工程がその融除処置が終結するまで各心臓周期に対応して繰り返される。一方、融除が終結している場合には、上記コンピュータは、マップ完了工程８６において、そのマッピング処理を停止する。図３において示されている各工程の結果として、一定の
リアル−タイムの３次元的な融除外傷部位の表示がその融除処置が行なわれている際中に使用者２２に対して提供される。
２　引用例１に記載された発明の認定
　上記１（１）ないし（９）を含む引用例１全体の記載を総合すると、引用例１には、
「　被験者２５の心臓２４の中の心臓融除治療におけるリアル−タイム・マッピング処理のためのマッピング・システム１０であって、
　カテーテル３０、表示モニター５２及びコンソール２０を備えており、
　カテーテル３０は、その先端部分４４に固定されている少なくとも１個の位置センサー４０、先端電極４８、及び１個以上の温度センサー４９を備えており、
　コンソール２０は、位置システム制御装置３６、融除電力発生装置３８、ジャンクション・ボックス３２、ＥＣＧモニター・システム３４、及びコンピュータ５０を含み、
　コンピュータ５０は信号処理回路を有していて、種々の機能を実行するためのソフトウェア及びハードウェアにおいてプログラム化されており、
　融除電力発生装置３８は、融除を行なうために先端電極４８により用いられる電力を発生し、エネルギー供給量情報である、（ａ）温度センサー４９の温度、（ｂ）先端電極４８により心臓の室部の組織に供給される電力、及び（ｃ）インピーダンスの内の１個以上を測定し、このエネルギー供給量情報を位置決めシステム制御装置３６及びＥＣＧモニター・システム３４に送信し、
　位置決めシステム制御装置３６は、位置センサー４０からの信号を受信し、位置センサー４０及びカテーテル３０の位置を計算し、さらにこれらの位置情報及び当該位置情報に関連しており融除電力発生装置３８から受信されるエネルギー供給量の情報をコンピュータ５０に伝達し、
　心臓融除処置の前に、カテーテル３０が心臓の室部内に挿入されて、その心臓の室部の表面に関する形状的および電気的な情報を取得および記録するために用いられ、
　心臓室部の形状的及び電気的なマッピングを形成した後に、使用者２２は融除処理を行なう心臓室部の表面領域にカテーテル３０を進行させ、
　融除エネルギーをこの心臓の表面に対して供給する際に、融除電力発生装置３８が、継続的にエネルギー供給量を測定し、
　コンピュータ５０は、心臓周期内のカテーテル３０の先端部分４４の位置に対する位置情報及びその心臓周期中に得られるエネルギー供給量情報を受信し、３次元の融除マッピング点を計算するために位置情報を使用し、一連の測定値に対して先端部分４４の位置を付随させ、融除マッピング点を接続している３次元的な表面を形成し、融除処理を開始する前に得られた心臓表面のマップに、融除マッピング点を加え、融除外傷部位の表面積を三角形のセグメントに区分し、各セグメント内における融除マッピング点のエネルギー供給量情報に応じて各セグメントに対応する表示値を発生し、
　ここで、使用者２２は各セグメントに対応する表示値を発生するために使用者に対するコンピュータの幾つかの機能の内の少なくとも１個を選択するものであって、その機能には最高温度が含まれ、
　さらに、コンピュータ５０は、一定の色尺度により各セグメントの適当と思われる表示値を色に変換し、各セグメントの表示値に基づいて色づけした各セグメントに対する融除外傷部位の３次元的な再構成情報を表示し、その際、カラー−コード化した各セグメントが予め得られているマップ上に重ね合わされて、表示モニター５２に一緒に表示され、
　リアル−タイムの３次元的な融除外傷部位の表示がその融除処置が行なわれている際中に使用者２２に対して提供される、マッピング・システム１０。」
の発明（以下「引用発明」という。）が記載されている。
第４　本願発明と引用発明との対比
　
　本願発明と引用発明とを対比する。
　
１　装置の全体構成について
（１）引用発明において、カテーテル３０は、心臓融除処置の前に、心臓の室部内に挿入されて、その心臓の室部の表面に関する形状的および電気的な情報を取得および記録するために用いられ、心臓室部の形状的及び電気的なマッピングが形成される。ここで、心臓室部の形状的なマッピングが画像であり、その形成がカテーテル３０の先端部分４４に固定されている位置センサー４０からの信号に基づいていることは明らかである。
　よって、引用発明の「位置センサー４０」は、本願発明の「画像取得装置」に相当する。
（２）引用発明の「カテーテル３０」は、その先端部分４４に固定されている先端電極４８により融除治療を施すものであるから、本願発明の「処置装置」に相当する。
（３）引用発明の「コンソール２０」は、本願発明の「処理装置」に相当する。
（４）引用発明の「表示モニター５２」は、本願発明の「表示装置」に相当する。
（５）引用発明の「被験者２５の心臓２４」は、本願発明の「対象物」に相当する。
（６）引用発明の「マッピング・システム１０」は、画像である心臓室部の形状的なマッピングを形成して表示し、３次元的な融除外傷部位の表示を使用者２２に対して提供するものであるから、本願発明の「対象物に関する情報を供する医療イメージング装置」に相当する。
２　画像取得装置について
（１）引用発明の「心臓の室部」は、本願発明の「関心領域」に相当する。
（２）引用発明の「位置センサー４０からの信号」は、「被験者２５の心臓２４」の室部の位置を表すものであり、室部の位置は、「被験者２５の心臓２４」に関するデータにほかならない。
（３）よって、引用発明において、「コンソール２０」の「位置決めシステム制御装置３６は、位置センサー４０からの信号を受信」することは、「コンソール２０の位置決めシステム制御装置３６は、位置センサー４０からの、被験者２５の心臓２４の室部の位置を表す信号を受信」することであり、本願発明の「画像取得装置は、対象物の関心領域のうちの少なくとも1つから対象物データを検出し、かつ、前記対象物データを、前記処理装置へ供」することに相当する。
３　処置装置について
（１）引用発明の「カテーテル３０」は、その先端部分４４に固定されている温度センサー４９により、エネルギー供給量情報である温度を検出することができるものである。
　ここで、エネルギー供給量情報は融除処理の程度を表すパラメータであると認められるところ、引用例１の段落【００２９】の「融除のために指定されている複数の部位において上記心臓に局所的な治療を施す処理、上記部位に一定量の融除を示す一定のパラメーターを各部位において感知する処理」及び段落【００３８】の「一部の好ましい実施形態において、上記パラメーターを感知する処理は上記部位の温度を感知する処理を含む。また、一部の用途において、上記パラメーターを感知する処理は上記部位において感知される一定の最高温度を決定する処理を含む。」との記載を参酌するに、引用発明において温度センサー４９により検出する温度は、融除のために指定されている複数の部位の温度、すなわち、被験者２５の心臓２４の室部の温度である場合を包含するものである。
（２）そして、被験者２５の心臓２４の室部の温度が、生理学的パラメータであって、カテーテル３０の位置、すなわち、検出位置に依存する情報であることは明らかである。
（３）よって、引用発明において、「コンソール２０」の「融除電力発生装置３８は」、「エネルギー供給量情報である」、「カテーテル３０」の「温度センサー４９の温度」「を測定」することは、本願発明の「処置装置は、前記対象物に対する前記処置装置の所定領域の位置に依存する前記対象物の生理学的パラメータを検出し、かつ、前記生理学的パラメータを、前記処理装置へ供」することに相当する。
４　処理装置について
（１）引用発明において、「心臓室部の形状的及び電気的なマッピング」の形成が、「コンピュータ５０」によって行われることは明らかである。
　よって、引用発明において、「コンソール２０」の「位置決めシステム制御装置３６は、位置センサー４０からの信号を受信し、位置センサー４０及びカテーテル３０の位置を計算し、さらにこれらの位置情報」を「コンピュータ５０に伝達し」、「心臓室部の形状的」「なマッピングを形成」することは、本願発明の「処理装置は、前記対象物データの少なくとも一部を画像データに変換」することに相当する。
（２）引用発明の「各セグメントに対応する表示値」である「最高温度」は、被験者２５の心臓２４の室部の特定の位置における温度の最高値を表すものであるから、生理学データであることは明らかである。
　よって、引用発明において、「各セグメントに対応する表示値を発生するために使用者に対するコンピュータの幾つかの機能の内」から「最高温度」が選択された場合に、「コンソール２０」の「コンピュータ５０は」、「各セグメント内における融除マッピング点のエネルギー供給量情報に応じて各セグメントに対応する表示値を発生」することは、本願発明の「処理装置は」、「前記生理学パラメータを生理学データに変換」することに相当する。
（３）引用発明は、「コンピュータ５０は、一定の色尺度により各セグメントの適当と思われる表示値を色に変換し、各セグメントの表示値に基づいて色づけした各セグメントに対する融除外傷部位の３次元的な再構成情報を表示し、その際、カラー−コード化した各セグメントが予め得られているマップ上に重ね合わされて、表示モニター５２に一緒に表示され」るものであるところ、各セグメントの色づけであるカラー−コード化は、各セグメントの表示値、すなわち、本願発明の生理学データに対応する最高温度に依存しており、カラー−コード化した各セグメントが予め得られているマップ上に重ね合わされることは、予め得られているマップを表示するための画像パラメータに対して、カラー−コード化した各セグメントを表示するための画像パラメータを用いて修正を施し、修正されたマップのデータを表示モニター５２に出力しているといえる。
　よって、引用発明において、「コンソール２０」の「コンピュータ５０は、一定の色尺度により各セグメントの適当と思われる表示値を色に変換し、各セグメントの表示値に基づいて色づけした各セグメントに対する融除外傷部位の３次元的な再構成情報を表示し、その際、カラー−コード化した各セグメントが予め得られているマップ上に重ね合わされて、表示モニター５２に一緒に表示され」ることは、本願発明の「処理装置は、前記生理学データに依存する前記画像データの画像パラメータの少なくとも1つを修正することで、前記画像データを、修正された生体画像データに変換し、前記処理装置は、前記修正された生体画像データを前記表示装置に供」することに相当する。
５　表示装置について
　引用発明の「カラー−コード化した各セグメントが予め得られているマップ上に重ね合わされて、表示モニター５２に一緒に表示され」ることは、本願発明の「表示装置は、前記修正された生体画像を表示する」ことに相当する。
６　そうすると、本願発明と引用発明とは、
「　画像取得装置、処置装置、処理装置、及び表示装置を有する、対象物に関する情報を供する医療イメージング装置であって、
　前記画像取得装置は、対象物の関心領域のうちの少なくとも1つから対象物データを検出し、かつ、前記対象物データを、前記処理装置へ供し、
　前記処置装置は、前記対象物に対する前記処置装置の所定領域の位置に依存する前記対象物の生理学的パラメータを検出し、かつ、前記生理学的パラメータを、前記処理装置へ供し、
　前記処理装置は、前記対象物データの少なくとも一部を画像データに変換し、かつ、前記生理学パラメータを生理学データに変換し、
　前記処理装置は、前記生理学データに依存する前記画像データの画像パラメータの少なくとも1つを修正することで、前記画像データを、修正された生体画像データに変換し、
　前記処理装置は、前記修正された生体画像データを前記表示装置に供し、
　前記表示装置は、前記修正された生体画像を表示する、
　装置。」
の点で一致し、相違点はない。
第５　当審の判断
　
１　上記のとおり、本願発明は引用発明であるから、特許法第２９条第１項第３号に規定する発明に該当する。
２　請求人は、審判請求書の請求の理由において、
「(d)-1　「生理学的パラメータ」について ・・・　温度に関係があるのは、最高温度と最高温度の時間勾配です。ですがこれらは、アブレーションの処置態様によって決まるカテーテル先端の温度に関するものであり、アブレーション実行時の温度であって、生理学的パラメータとは異なると考えます。なぜならその温度は、３７〜１００℃であり（引用文献1の[0069]をご参照ください。）、平熱を超えているためです。一般的に言って、恒常的にヒトの体温の平熱を超える温度は生理学的パラメータとはみなし得ないと思料いたします。 
 　しかも審査官殿が「生理学的パラメータ」に相当するとしている事項は、対象物に対する処置装置の位置に依存するものではありません。よって請求項１に係る生理学的パラメータが「前記対象物に対する前記処置装置の所定領域の位置に依存する」ことについて記載も示唆もしておりません。 
 (d)-2　「画像パラメータの少なくとも１つを修正すること」について ・・・　一方本願発明は、生体画像を供するために画像パラメータの少なくとも1つを修正するのであって、複数の色のオーバーレイ表示を行いません。なぜなら、そのようなオーバーレイ表示は、画像に含まれる解釈上重要な情報を失う恐れがあるからです（本願明細書[0009]を御参照ください。）。よって引用文献1は、複数の色のオーバーレイ表示を前提としているため、本願発明の特徴に至る根拠にはなり得ません。 」
と主張している。
　そこで、上記請求人の主張について検討する。
（１）生理学的パラメータについて
　仮に、引用発明の温度センサー４９がカテーテル３０の先端部分４４の温度を計測するものであったとしても、
ア　引用例１の段落【００２９】及び段落【００３８】の記載は、融除を行う部位、すなわち、心臓室部の特定の位置の温度を計測することを示唆するものであること、
イ　融除を行う処置具に設けた温度センサにより組織の温度を計測することが、本願優先日前において周知であること（例えば、特開２００１−３４０３５０号公報の段落【００４１】参照。）、
に鑑みれば、引用発明において温度センサー４９により心臓室部の特定の位置の温度を計測するようにすることは、設計的事項にすぎない。
　また、引用発明の温度センサー４９により融除処置前の温度を計測することが可能であることは明らかであり、融除の状況を把握するために融除処理前の温度をも計測することが有効であることは、本願優先日前において周知である（例えば、特開２００１−３４０３５０号公報の段落【００６１】参照。）から、引用発明において、温度センサー４９により融除処置前から温度を計測し、その温度に基づいて対応するセグメントの表示値を決定し、融除処置に伴って表示されるセグメントの色が変化するようにすることは、当業者が容易に想到し得ることである。
　そして、融除処置前の心臓室部の特定の位置の温度は、紛れもない生理学的パラメータであり、少なくとも心臓室部の位置に依存して異なる値を示すことは明らかである。
（２）画像パラメータの修正について
　本願明細書の発明の詳細な説明及び図面には、実施例として生理学データを図式的に表す色のついたマーカーを蛍光画像内部に表示することも記載されており（特に、段落【００９０】及び図５の記載を参照。）、本願発明における画像パラメータの修正が、色のオーバーレイ表示を除外したものとは認められない。
（３）してみると、本願発明が引用発明とは異なるものであるとしても、本願発明は、引用発明、引用例１の記載事項、及び、本願優先日前において周知な事項に基いて、当業者が容易に発明をすることができたものであるといわざるを得ない。
第６　むすび
　以上のとおりであるから、本願発明は、特許法第２９条第１項第３号に規定する発明に該当し、特許を受けることができない。
 
　また、仮に本願発明が特許法第２９条第１項第３号に規定する発明に該当しないとしても、本願発明は、特許法第２９条第２項の規定により特許を受けることができない。
　したがって、その余の請求項に係る発明について論及するまでもなく、本願は拒絶すべきものである。
　よって、結論のとおり審決する。